(57)【要約】【課題】  従来は、他人が何らかの理由で取得した置き忘れ対策用識別子を含めた電子メールを送信してしまうと、他人の端末に紛失又は盗難された携帯電話機のメモリダイヤルのリスト情報が受信されてしまい、セキュリティ対策が不十分である。【解決手段】  捜索用携帯情報端末から送信された捜索用メールは、紛失した携帯情報端末により受信され、その捜索用メールの本文データが抽出された後（Ｓ１３）、捜索用メールから抽出した指紋データを紛失した携帯情報端末のメモリに予め登録してあるユーザー本人の指紋データと比較照合される（Ｓ１４）。両者が一致した照合結果が得られた場合は、ダイヤルロックを設定し（Ｓ１５）、また捜索用メールの本文に記述されているメッセージの表示やビープ音発音を行い（Ｓ１７〜Ｓ１９）、更に位置情報を取得してその位置情報を本文に含むメールを捜索用携帯情報端末へ送信する（Ｓ２１〜Ｓ２３）。【選択図】            図４
2005295309.tif 000002
【特許請求の範囲】
【請求項１】
メール機能と認証機能を少なくとも備えた第１の携帯情報端末を捜索するために、メール機能と認証機能を少なくとも備えた第２の携帯情報端末を用いる携帯情報端末捜索システムであって、
前記第２の携帯情報端末は、
ヘッダ部分にメールの種類を示す特定の値を有し、送信先を前記第１の携帯情報端末のメールアドレスとし、本文に所望のメッセージ及び端末制御情報のうちの少なくとも一方と、前記第１の携帯情報端末の本来の所有者の認証用データとを含む捜索用メールを生成するメール生成手段と、
前記メール生成手段により生成された前記捜索用メールを前記第１の携帯情報端末へ送信する第１のメール送信手段とを有し、
前記第１の携帯情報端末は、
受信したメールのヘッダ部分の値に基づき、前記捜索メールを受信したか否か判定する受信メール判定手段と、
前記捜索メールを受信したときには、受信した前記捜索メール中の前記認証用データと、予め登録されている該第１の携帯情報端末の本来の所有者の認証用データとを比較照合して一致するかどうか判定する認証手段と、
前記認証手段により一致の認証が得られたときには、該第１の携帯情報端末をダイヤルロック状態とすると共に、受信した前記捜索メール中に前記メッセージが含まれているときには該第１の携帯情報端末の表示部に該メッセージを表示し、受信した前記捜索メール中に前記端末制御情報が含まれているときには、該第１の携帯情報端末を該端末制御情報に応じて制御する制御手段とを有することを特徴とする携帯情報端末捜索システム。
【請求項２】
メール機能と認証機能を少なくとも備えた第１の携帯情報端末を捜索するために、メール機能と認証機能を少なくとも備えた第２の携帯情報端末と、前記第１の携帯情報端末の現在地情報を取得する位置情報提供サーバとを用いる携帯情報端末捜索システムであって、
前記第２の携帯情報端末は、
ヘッダ部分にメールの種類を示す特定の値を有し、送信先を前記第１の携帯情報端末のメールアドレスとし、本文に所望のメッセージ及び端末制御情報のうちの少なくとも一方と、前記第１の携帯情報端末の本来の所有者の認証用データと、位置情報返信要求を含む捜索用メールを生成するメール生成手段と、
前記メール生成手段により生成された前記捜索用メールを前記第１の携帯情報端末へ送信する第１のメール送信手段とを有し、
前記第１の携帯情報端末は、
受信したメールのヘッダ部分の値に基づき、前記捜索メールを受信したか否か判定する受信メール判定手段と、
前記捜索メールを受信したときには、受信した前記捜索メール中の前記認証用データと、予め登録されている該第１の携帯情報端末の本来の所有者の認証用データとを比較照合して一致するかどうか判定する認証手段と、
前記認証手段により一致の認証が得られたときには、該第１の携帯情報端末をダイヤルロック状態とすると共に、受信した前記捜索メール中に前記メッセージが含まれているときには該第１の携帯情報端末の表示部に該メッセージを表示し、受信した前記捜索メール中に前記端末制御情報が含まれているときには、該第１の携帯情報端末を該端末制御情報に応じて制御する制御手段と、
受信した前記捜索メール中の前記位置情報返信要求に基づき、前記位置情報提供サーバに自動アクセスして該第１の携帯情報端末の現在地情報を取得する現在地情報取得手段と、
取得した前記現在地情報を本文に含み、送信先を前記第２の携帯情報端末のメールアドレスとする送信用メールを自動生成する送信用メール生成手段と、
前記送信用メールを前記第２の携帯情報端末へ送信する第２のメール送信手段とを有することを特徴とする携帯情報端末捜索システム。
【請求項３】
メール機能と認証機能を少なくとも備えた第１の携帯情報端末を捜索するために、メール機能と認証データ送信機能を少なくとも備えた第２の携帯情報端末と、ネットワーク上に設けられたサーバ装置とを用いる携帯情報端末捜索システムであって、
前記第２の携帯情報端末は、
ヘッダ部分にメールの種類を示す特定の値を有し、送信先を前記第１の携帯情報端末のメールアドレスとし、本文に所望のメッセージ及び端末制御情報のうちの少なくとも一方を含む捜索用メールを生成するメール生成手段と、
前記メール生成手段により生成された前記捜索用メールを前記第１の携帯情報端末へ送信する第１のメール送信手段と、
前記捜索用メールの送信と同時に、前記サーバにアクセスして認証用データ及び前記捜索用メールの情報を送信して該サーバに記憶させるデータ送信手段とを有し、
前記第１の携帯情報端末は、
受信したメールのヘッダ部分の値に基づき、前記捜索メールを受信したか否か判定する受信メール判定手段と、
前記捜索メールを受信したときには、前記サーバに自動アクセスして該サーバから前記認証用データと前記捜索用メールの情報を取得するデータ取得手段と、
該データ取得手段により取得した前記認証用データを、予め登録されている前記第１の携帯情報端末の本来の所有者の認証用データと比較照合すると共に、取得した前記捜索用メールの情報が前記受信した捜索用メールの情報と一致するか比較照合する照合手段と、
前記照合手段により照合一致の結果が得られたときには、該第１の携帯情報端末をダイヤルロック状態とすると共に、受信した前記捜索メール中に前記メッセージが含まれているときには該第１の携帯情報端末の表示部に該メッセージを表示し、受信した前記捜索メール中に前記端末制御情報が含まれているときには、該第１の携帯情報端末を該端末制御情報に応じて制御する制御手段とを有することを特徴とする携帯情報端末捜索システム。
【請求項４】
前記端末制御情報はビープ音鳴動制御情報であり、前記制御手段は、該ビープ音鳴動制御情報に基づき、着信音量の設定に拘らずビープ音を鳴動させることを特徴とする請求項１乃至３のうちいずれか一項記載の携帯情報端末捜索システム。
【請求項５】
前記第１のメール送信手段は、前記捜索用メールを送信した後、その送信履歴を自動削除する機能を備えたことを特徴とする請求項１乃至３のうちいずれか一項記載の携帯情報端末捜索システム。
【請求項６】
前記認証用データは、前記第１の携帯情報端末の本来の所有者の生体情報であることを特徴とする請求項１乃至５のうちいずれか一項記載の携帯情報端末捜索システム。
【請求項７】
前記認証用データは、予め設定したパスワードであることを特徴とする請求項１乃至５のうちいずれか一項記載の携帯情報端末捜索システム。
【請求項８】
予め所有者の認証用データを取得して登録しておく認証用データ記憶手段と、
他の携帯情報端末を捜索するときに、ヘッダ部分にメールの種類を示す特定の値を有し、送信先を捜索すべき前記他の携帯情報端末のメールアドレスとし、本文に所望のメッセージ及び端末制御情報のうちの少なくとも一方と、前記他の携帯情報端末の所有者の認証用データとを含む捜索用メールを生成するメール生成手段と、
前記メール生成手段により生成された前記捜索用メールを前記他の携帯情報端末へ送信する第１のメール送信手段と、
受信したメールのヘッダ部分の値に基づき、前記捜索メールを受信したか否か判定する受信メール判定手段と、
前記捜索メールを受信したときには、受信した前記捜索メール中の前記認証用データと、前記認証用データ記憶手段に予め登録されている本来の所有者の認証用データとを比較照合して一致するかどうか判定する認証手段と、
前記認証手段により一致の認証が得られたときには、ダイヤルロック状態とすると共に、受信した前記捜索メール中に前記メッセージが含まれているときには表示部に該メッセージを表示し、受信した前記捜索メール中に前記端末制御情報が含まれているときには、該端末制御情報に応じて制御する制御手段と
を有することを特徴とする携帯情報端末。
【請求項９】
予め所有者の認証用データを取得して登録しておく認証用データ記憶手段と、
他の携帯情報端末を捜索するときに、ヘッダ部分にメールの種類を示す特定の値を有し、送信先を捜索すべき前記他の携帯情報端末のメールアドレスとし、本文に所望のメッセージ及び端末制御情報のうちの少なくとも一方と、前記他の携帯情報端末の所有者の認証用データと、位置情報返信要求を含む捜索用メールを生成するメール生成手段と、
前記メール生成手段により生成された前記捜索用メールを前記他の携帯情報端末へ送信する第１のメール送信手段と、
受信したメールのヘッダ部分の値に基づき、前記捜索メールを受信したか否か判定する受信メール判定手段と、
前記捜索メールを受信したときには、受信した前記捜索メール中の前記認証用データと、前記認証用データ記憶手段に予め登録されている本来の所有者の認証用データとを比較照合して一致するかどうか判定する認証手段と、
前記認証手段により一致の認証が得られたときには、ダイヤルロック状態とすると共に、受信した前記捜索メール中に前記メッセージが含まれているときには表示部に該メッセージを表示し、受信した前記捜索メール中に前記端末制御情報が含まれているときには、該端末制御情報に応じて制御する制御手段と、
受信した前記捜索メール中の前記位置情報返信要求に基づき、前記位置情報提供サーバに自動アクセスして現在地情報を取得する現在地情報取得手段と、
取得した前記現在地情報を本文に含み、送信先を前記捜索用メールの発信元の携帯情報端末のメールアドレスとする送信用メールを自動生成する送信用メール生成手段と、
前記送信用メールを前記第２の携帯情報端末へ送信する第２のメール送信手段と
を有することを特徴とする携帯情報端末。
【請求項１０】
予め所有者の認証用データを取得して登録しておく認証用データ記憶手段と、
他の携帯情報端末を捜索するときに、ヘッダ部分にメールの種類を示す特定の値を有し、送信先を捜索すべき前記他の携帯情報端末のメールアドレスとし、本文に所望のメッセージ及び端末制御情報のうちの少なくとも一方を含む捜索用メールを生成するメール生成手段と、
前記メール生成手段により生成された前記捜索用メールを前記他の携帯情報端末へ送信する第１のメール送信手段と、
前記捜索用メールの送信と同時に、ネットワーク上のサーバにアクセスして前記他の携帯情報端末の所有者の認証用データ及び前記捜索用メールの情報を送信して該サーバに記憶させるデータ送信手段と、
受信したメールのヘッダ部分の値に基づき、前記捜索メールを受信したか否か判定する受信メール判定手段と、
前記捜索メールを受信したときには、前記サーバに自動アクセスして該サーバから前記認証用データと前記捜索用メールの情報を取得するデータ取得手段と、
該データ取得手段により取得した前記認証用データを、前記認証用データ記憶手段に予め登録されている本来の所有者の認証用データと比較照合すると共に、取得した前記捜索用メールの情報が前記受信した捜索用メールの情報と一致するか比較照合する照合手段と、
前記照合手段により照合一致の結果が得られたときには、ダイヤルロック状態とすると共に、受信した前記捜索メール中に前記メッセージが含まれているときには表示部に該メッセージを表示し、受信した前記捜索メール中に前記端末制御情報が含まれているときには、該端末制御情報に応じて制御する制御手段と
を有することを特徴とする携帯情報端末。
【請求項１１】
前記端末制御情報はビープ音鳴動制御情報であり、前記制御手段は、該ビープ音鳴動制御情報に基づき、着信音量の設定に拘らずビープ音を鳴動させることを特徴とする請求項８乃至１０のうちいずれか一項記載の携帯情報端末。
【請求項１２】
前記第１のメール送信手段は、前記捜索用メールを送信した後、その送信履歴を自動削除する機能を備えたことを特徴とする請求項８乃至１０のうちいずれか一項記載の携帯情報端末。
【請求項１３】
メール機能と認証機能を少なくとも備えた第１の携帯情報端末を捜索するために、メール機能と認証機能を少なくとも備えた第２の携帯情報端末を用いる携帯情報端末の捜索方法であって、
前記第１及び第２の携帯情報端末が、初期化処理として所有者の認証用データを取得して登録しておく第１のステップと、
前記第２の携帯情報端末が、ヘッダ部分にメールの種類を示す特定の値を有し、送信先を前記第１の携帯情報端末のメールアドレスとし、本文に所望のメッセージ及び端末制御情報のうちの少なくとも一方と、前記第１の携帯情報端末の本来の所有者の認証用データとを含む捜索用メールを生成する第２のステップと、
前記第２の携帯情報端末が、生成された前記捜索用メールを前記第１の携帯情報端末へ送信する第３のステップと、
前記第１の携帯情報端末が、受信したメールのヘッダ部分の値に基づき、前記捜索メールを受信したか否か判定する第４のステップと、
前記第１の携帯情報端末が、前記捜索メールを受信したときには、受信した前記捜索メール中の前記認証用データと、予め登録されている該第１の携帯情報端末の本来の所有者の認証用データとを比較照合して一致するかどうか判定する第５のステップと、
前記第５のステップにより一致の認証が得られたときには、該第１の携帯情報端末をダイヤルロック状態とすると共に、受信した前記捜索メール中に前記メッセージが含まれているときには該第１の携帯情報端末の表示部に該メッセージを表示し、受信した前記捜索メール中に前記端末制御情報が含まれているときには、該第１の携帯情報端末を該端末制御情報に応じて制御する第６のステップと
を含むことを特徴とする携帯情報端末の捜索方法。
【請求項１４】
メール機能と認証機能を少なくとも備えた第１の携帯情報端末を捜索するために、メール機能と認証機能を少なくとも備えた第２の携帯情報端末を用いる携帯情報端末の捜索方法であって、
前記第１及び第２の携帯情報端末が、初期化処理として所有者の認証用データを取得して登録しておく第１のステップと、
前記第２の携帯情報端末が、ヘッダ部分にメールの種類を示す特定の値を有し、送信先を前記第１の携帯情報端末のメールアドレスとし、本文に所望のメッセージ及び端末制御情報のうちの少なくとも一方と、前記第１の携帯情報端末の本来の所有者の認証用データと、位置情報返信要求を含む捜索用メールを生成する第２のステップと、
前記第２の携帯情報端末が、生成された前記捜索用メールを前記第１の携帯情報端末へ送信する第３のステップと、
前記第１の携帯情報端末が、受信したメールのヘッダ部分の値に基づき、前記捜索メールを受信したか否か判定する第４のステップと、
前記第１の携帯情報端末が、前記捜索メールを受信したときには、受信した前記捜索メール中の前記認証用データと、予め登録されている該第１の携帯情報端末の本来の所有者の認証用データとを比較照合して一致するかどうか判定する第５のステップと、
前記第５のステップにより一致の認証が得られたときには、該第１の携帯情報端末をダイヤルロック状態とすると共に、受信した前記捜索メール中に前記メッセージが含まれているときには該第１の携帯情報端末の表示部に該メッセージを表示し、受信した前記捜索メール中に前記端末制御情報が含まれているときには、該第１の携帯情報端末を該端末制御情報に応じて制御する第６のステップと、
前記第１の携帯情報端末が、受信した前記捜索メール中の前記位置情報返信要求に基づき、前記位置情報提供サーバに自動アクセスして該第１の携帯情報端末の現在地情報を取得する第７のステップと、
第７のステップで取得した前記現在地情報を本文に含み、送信先を前記第２の携帯情報端末のメールアドレスとする送信用メールを自動生成する第８のステップと、
前記第８のステップで生成した前記送信用メールを前記第２の携帯情報端末へ送信する第９のステップと
を含むことを特徴とする携帯情報端末の捜索方法。
【請求項１５】
メール機能と認証機能を少なくとも備えた第１の携帯情報端末を捜索するために、メール機能と認証機能を少なくとも備えた第２の携帯情報端末を用いる携帯情報端末の捜索方法であって、
前記第２の携帯情報端末が、ヘッダ部分にメールの種類を示す特定の値を有し、送信先を前記第１の携帯情報端末のメールアドレスとし、本文に所望のメッセージ及び端末制御情報のうちの少なくとも一方を含む捜索用メールを生成する第１のステップと、
前記第１のステップにより生成された前記捜索用メールを前記第１の携帯情報端末へ送信する第２のステップと、
前記第２の携帯情報端末が、前記捜索用メールの送信と同時に、ネットワーク上のサーバにアクセスして認証用データ及び前記捜索用メールの情報を送信して該サーバに記憶させる第３のステップと、
前記第１の携帯情報端末が、受信したメールのヘッダ部分の値に基づき、前記捜索メールを受信したか否か判定する第４のステップと、
前記第１の携帯情報端末が、前記捜索メールを受信したときには、前記サーバに自動アクセスして該サーバから前記認証用データと前記捜索用メールの情報を取得する第５のステップと、
前記第５のステップにより取得した前記認証用データを、予め登録されている前記第１の携帯情報端末の本来の所有者の認証用データと比較照合すると共に、取得した前記捜索用メールの情報が前記受信した捜索用メールの情報と一致するか比較照合する第６のステップと、
前記第６のステップにより照合一致の結果が得られたときには、該第１の携帯情報端末をダイヤルロック状態とすると共に、受信した前記捜索メール中に前記メッセージが含まれているときには該第１の携帯情報端末の表示部に該メッセージを表示し、受信した前記捜索メール中に前記端末制御情報が含まれているときには、該第１の携帯情報端末を該端末制御情報に応じて制御する第７のステップと
を含むことを特徴とする携帯情報端末の捜索方法。
【請求項１６】
前記第３のステップは、前記捜索用メールを送信した後、その送信履歴を自動削除することを特徴とする請求項１３又は１４記載の携帯情報端末の捜索方法。
【請求項１７】
前記第２のステップは、前記捜索用メールを送信した後、その送信履歴を自動削除することを特徴とする請求項１５記載の携帯情報端末の捜索方法。
【発明の詳細な説明】
【技術分野】
【０００１】
本発明は携帯情報端末捜索システム、携帯情報端末及びその捜索方法に係り、特に紛失して所在が分からなくなったメール機能と認証機能を備えた携帯情報端末を捜索する携帯情報端末捜索システム、携帯情報端末及びその捜索方法に関する。
【背景技術】
【０００２】
携帯電話機等の携帯情報端末は、その携帯性から任意の場所から相手端末と通信できるため、非常に便利である反面、紛失し易く、また盗難に合う可能性もある。携帯情報端末を紛失した場合、その携帯情報端末が所有者の近くにある場合は、紛失した携帯情報端末の着信音を鳴らすことにより捜索することができる。しかし、紛失した携帯情報端末が所有者の近くになく、かつ、紛失場所が特定できない場合や、紛失した携帯情報端末の着信音量が制限されている場合は捜索が困難である。また、携帯情報端末が盗難された場合も、捜索が困難である。更に、ダイヤルロックが設定されていない場合は、紛失した、あるいは盗難された携帯情報端末が他人により無断で使用されてしまう可能性がある。
【０００３】
そこで、紛失、盗難時の対策機能を備えた携帯情報端末が従来より知られている（例えば、特許文献１参照）。この特許文献１記載の従来の携帯情報端末は、メモリダイヤル機能、電子メールの送受信機能、位置認識機能を備えた携帯電話機において、電子メールを受信した際に、受信した電子メールに予め定められた置き忘れ対策用識別子が含まれている場合には、当該携帯電話機をダイヤルロック状態にすると共に、メモリダイヤルのリスト情報を、受信電子メールを送信した送信元に自動送出し、携帯電話機が位置認識機能を持つ場合には、メモリダイヤルのリスト情報と携帯電話機の位置情報を、受信電子メールを送信した送信元に自動送出する構成である。
【０００４】
この従来の携帯電話機によれば、所有者が置き忘れ対策用識別子を含めた電子メールを紛失又は盗難された携帯電話機へ送信することで、当該携帯電話機をダイヤルロック状態にすると共に、その電子メールの送信元である所有者の端末に、紛失又は盗難された携帯電話機の位置情報が電子メールで送信されてくるので、現在位置を知ることができ、また、メモリダイヤルのリスト情報も電子メールで送信されてくるので、所有者はメモリダイヤルのリスト情報を再取得できる。
【０００５】
【特許文献１】特開２００２−１１１８５８号公報
【発明の開示】
【発明が解決しようとする課題】
【０００６】
しかしながら、上記の特許文献１記載の従来の携帯情報端末では、他人が何らかの理由で置き忘れ対策用識別子を取得し、その置き忘れ対策用識別子を含めた電子メールを紛失又は盗難された携帯電話機へ送信してしまうと、その他人の端末に紛失又は盗難された携帯電話機のメモリダイヤルのリスト情報が受信されてしまい、セキュリティ対策が不十分であるという問題がある。
【０００７】
本発明は上記の点に鑑みなされたもので、充分なセキュリティ対策の下で、紛失又は盗難にあった携帯情報端末を捜索し得る携帯情報端末捜索システム、携帯情報端末及びその捜索方法を提供することを目的とする。
【課題を解決するための手段】
【０００８】
上記の目的を達成するため、第１の発明の携帯情報端末捜索システムは、メール機能と認証機能を少なくとも備えた第１の携帯情報端末を捜索するために、メール機能と認証機能を少なくとも備えた第２の携帯情報端末を用いる携帯情報端末捜索システムであって、
第２の携帯情報端末は、ヘッダ部分にメールの種類を示す特定の値を有し、送信先を第１の携帯情報端末のメールアドレスとし、本文に所望のメッセージ及び端末制御情報のうちの少なくとも一方と、第１の携帯情報端末の本来の所有者の認証用データとを含む捜索用メールを生成するメール生成手段と、メール生成手段により生成された捜索用メールを第１の携帯情報端末へ送信する第１のメール送信手段とを有し、
第１の携帯情報端末は、受信したメールのヘッダ部分の値に基づき、捜索メールを受信したか否か判定する受信メール判定手段と、捜索メールを受信したときには、受信した捜索メール中の認証用データと、予め登録されている第１の携帯情報端末の本来の所有者の認証用データとを比較照合して一致するかどうか判定する認証手段と、認証手段により一致の認証が得られたときには、第１の携帯情報端末をダイヤルロック状態とすると共に、受信した捜索メール中にメッセージが含まれているときには第１の携帯情報端末の表示部にメッセージを表示し、受信した捜索メール中に端末制御情報が含まれているときには、第１の携帯情報端末を端末制御情報に応じて制御する制御手段とを有する構成としたものである。
【０００９】
この発明では、紛失又は盗難により所在の分からなくなった第１の携帯情報端末を、第２の携帯情報端末により捜索する際に、第１の携帯情報端末の本来の所有者の認証用データを含む捜索用メールを第２の携帯情報端末から第１の携帯情報端末へ送信して受信させ、第１の携帯情報端末により受信捜索メール中の認証用データと予め登録されている所有者本人の認証用データとを比較照合し、一致の照合結果が得られたときに初めて、第１の携帯情報端末をダイヤルロック状態とすると共に、受信した捜索メール中にメッセージが含まれているときには第１の携帯情報端末の表示部にメッセージを表示して、本来の所有者への連絡を促したり、受信した捜索メール中に端末制御情報が含まれているときには、第１の携帯情報端末を端末制御情報に応じて制御してビープ音の発音などを行って警報を発することができる。
【００１０】
また、上記の目的を達成するため、第２の発明の携帯情報端末捜索システムは、捜索用に用いる第２の携帯情報端末は、ヘッダ部分にメールの種類を示す特定の値を有し、送信先を第１の携帯情報端末のメールアドレスとし、本文に所望のメッセージ及び端末制御情報のうちの少なくとも一方と、第１の携帯情報端末の本来の所有者の認証用データと、位置情報返信要求を含む捜索用メールを生成するメール生成手段と、メール生成手段により生成された捜索用メールを第１の携帯情報端末へ送信する第１のメール送信手段とを有し、
捜索される第１の携帯情報端末は、受信したメールのヘッダ部分の値に基づき、捜索メールを受信したか否か判定する受信メール判定手段と、捜索メールを受信したときには、受信した捜索メール中の認証用データと、予め登録されている第１の携帯情報端末の本来の所有者の認証用データとを比較照合して一致するかどうか判定する認証手段と、認証手段により一致の認証が得られたときには、第１の携帯情報端末をダイヤルロック状態とすると共に、受信した捜索メール中にメッセージが含まれているときには第１の携帯情報端末の表示部にメッセージを表示し、受信した捜索メール中に端末制御情報が含まれているときには、第１の携帯情報端末を端末制御情報に応じて制御する制御手段と、受信した捜索メール中の位置情報返信要求に基づき、位置情報提供サーバに自動アクセスして第１の携帯情報端末の現在地情報を取得する現在地情報取得手段と、取得した現在地情報を本文に含み、送信先を第２の携帯情報端末のメールアドレスとする送信用メールを自動生成する送信用メール生成手段と、送信用メールを第２の携帯情報端末へ送信する第２のメール送信手段とを有する構成としたものである。
【００１１】
この発明では、紛失又は盗難により所在の分からなくなった第１の携帯情報端末を、第２の携帯情報端末により捜索する際に、第１の携帯情報端末の本来の所有者の認証用データを含む捜索用メールを第２の携帯情報端末から第１の携帯情報端末へ送信して受信させ、第１の携帯情報端末により受信捜索メール中の認証用データと予め登録されている所有者本人の認証用データとを比較照合し、一致の照合結果が得られたときに初めて、第１の携帯情報端末をダイヤルロック状態とすると共に、受信した捜索メール中にメッセージが含まれているときには第１の携帯情報端末の表示部にメッセージを表示して、本来の所有者への連絡を促したり、受信した捜索メール中に端末制御情報が含まれているときには、第１の携帯情報端末を端末制御情報に応じて制御してビープ音の発音などを行って警報を発し、更に、捜索用メール中の位置情報返信要求に基づき、位置情報提供サーバに自動アクセスして第１の携帯情報端末の現在地情報を取得し、その現在地情報を本文に含み、送信先を第２の携帯情報端末のメールアドレスとする送信用メールを自動生成して送信するようにしたため、第２の携帯情報端末のユーザーは所在の分からなくなった第１の携帯情報端末がどこにあるのかを返信用メールに基づき知ることができる。
【００１２】
また、上記の目的を達成するため、第３の発明の携帯情報端末捜索システムは、メール機能と認証機能を少なくとも備えた第１の携帯情報端末を捜索するために、メール機能と認証データ送信機能を少なくとも備えた第２の携帯情報端末と、ネットワーク上に設けられたサーバ装置とを用いる携帯情報端末捜索システムであって、
第２の携帯情報端末は、ヘッダ部分にメールの種類を示す特定の値を有し、送信先を第１の携帯情報端末のメールアドレスとし、本文に所望のメッセージ及び端末制御情報のうちの少なくとも一方を含む捜索用メールを生成するメール生成手段と、メール生成手段により生成された捜索用メールを第１の携帯情報端末へ送信する第１のメール送信手段と、捜索用メールの送信と同時に、サーバにアクセスして認証用データ及び捜索用メールの情報を送信してサーバに記憶させるデータ送信手段とを有し、
第１の携帯情報端末は、受信したメールのヘッダ部分の値に基づき、捜索メールを受信したか否か判定する受信メール判定手段と、捜索メールを受信したときには、サーバに自動アクセスしてサーバから認証用データと捜索用メールの情報を取得するデータ取得手段と、データ取得手段により取得した認証用データを、予め登録されている第１の携帯情報端末の本来の所有者の認証用データと比較照合すると共に、取得した捜索用メールの情報が受信した捜索用メールの情報と一致するか比較照合する照合手段と、照合手段により照合一致の結果が得られたときには、第１の携帯情報端末をダイヤルロック状態とすると共に、受信した捜索メール中にメッセージが含まれているときには第１の携帯情報端末の表示部にメッセージを表示し、受信した捜索メール中に端末制御情報が含まれているときには、第１の携帯情報端末を端末制御情報に応じて制御する制御手段とを有する構成としたものである。
【００１３】
この発明では、紛失又は盗難により所在の分からなくなった第１の携帯情報端末を、第２の携帯情報端末により捜索する際に、捜索用メールを第２の携帯情報端末から第１の携帯情報端末へ送信して受信させ、第１の携帯情報端末によりサーバに自動アクセスしてサーバから認証用データと捜索用メールの情報を取得させた後、その認証用データを、予め登録されている第１の携帯情報端末の本来の所有者の認証用データと比較照合し、一致の照合結果が得られたときに初めて、第１の携帯情報端末をダイヤルロック状態とすると共に、受信した捜索メール中にメッセージが含まれているときには第１の携帯情報端末の表示部にメッセージを表示して、本来の所有者への連絡を促したり、受信した捜索メール中に端末制御情報が含まれているときには、第１の携帯情報端末を端末制御情報に応じて制御してビープ音の発音などを行って警報を発することができる。
【００１４】
また、上記の目的を達成するため、第４の発明の携帯情報端末捜索システムは、端末制御情報はビープ音鳴動制御情報であり、制御手段は、ビープ音鳴動制御情報に基づき、着信音量の設定に拘らずビープ音を鳴動させることを特徴とする。
【００１５】
また、上記の目的を達成するため、第５の発明の携帯情報端末捜索システムは、第１のメール送信手段が、捜索用メールを送信した後、その送信履歴を自動削除する機能を備えたことを特徴とする。この発明では、送信メールの形式がユーザーに公開されないようにできる。
【００１６】
ここで、上記の認証用データは、第１の携帯情報端末の本来の所有者の生体情報であってもよく、あるいは、予め設定したパスワードであってもよい。
【００１７】
また、上記の目的を達成するため、第８の発明の携帯情報端末は、予め所有者の認証用データを取得して登録しておく認証用データ記憶手段と、他の携帯情報端末を捜索するときに、ヘッダ部分にメールの種類を示す特定の値を有し、送信先を捜索すべき他の携帯情報端末のメールアドレスとし、本文に所望のメッセージ及び端末制御情報のうちの少なくとも一方と、他の携帯情報端末の所有者の認証用データとを含む捜索用メールを生成するメール生成手段と、メール生成手段により生成された捜索用メールを他の携帯情報端末へ送信する第１のメール送信手段と、受信したメールのヘッダ部分の値に基づき、捜索メールを受信したか否か判定する受信メール判定手段と、捜索メールを受信したときには、受信した捜索メール中の認証用データと、認証用データ記憶手段に予め登録されている本来の所有者の認証用データとを比較照合して一致するかどうか判定する認証手段と、認証手段により一致の認証が得られたときには、ダイヤルロック状態とすると共に、受信した捜索メール中にメッセージが含まれているときには表示部にメッセージを表示し、受信した捜索メール中に端末制御情報が含まれているときには、端末制御情報に応じて制御する制御手段とを有する構成としたものである。
【００１８】
この発明では、携帯情報端末が所在が分からなくなったときには、捜索用メールを受信して受信捜索メール中の認証用データと予め登録されている所有者本人の認証用データとを比較照合し、一致の照合結果が得られたときに初めて自端末をダイヤルロック状態とすると共に、受信した捜索メール中にメッセージが含まれているときには自端末の表示部にメッセージを表示して、本来の所有者への連絡を促したり、受信した捜索メール中に端末制御情報が含まれているときには、自端末を端末制御情報に応じて制御してビープ音の発音などを行って警報を発することができる。
【００１９】
また、上記の目的を達成するため、第９の発明の携帯情報端末は、予め所有者の認証用データを取得して登録しておく認証用データ記憶手段と、他の携帯情報端末を捜索するときに、ヘッダ部分にメールの種類を示す特定の値を有し、送信先を捜索すべき他の携帯情報端末のメールアドレスとし、本文に所望のメッセージ及び端末制御情報のうちの少なくとも一方と、他の携帯情報端末の所有者の認証用データと、位置情報返信要求を含む捜索用メールを生成するメール生成手段と、メール生成手段により生成された捜索用メールを他の携帯情報端末へ送信する第１のメール送信手段と、受信したメールのヘッダ部分の値に基づき、捜索メールを受信したか否か判定する受信メール判定手段と、捜索メールを受信したときには、受信した捜索メール中の認証用データと、認証用データ記憶手段に予め登録されている本来の所有者の認証用データとを比較照合して一致するかどうか判定する認証手段と、認証手段により一致の認証が得られたときには、ダイヤルロック状態とすると共に、受信した捜索メール中にメッセージが含まれているときには表示部にメッセージを表示し、受信した捜索メール中に端末制御情報が含まれているときには、端末制御情報に応じて制御する制御手段と、受信した捜索メール中の位置情報返信要求に基づき、位置情報提供サーバに自動アクセスして現在地情報を取得する現在地情報取得手段と、取得した現在地情報を本文に含み、送信先を捜索用メールの発信元の携帯情報端末のメールアドレスとする送信用メールを自動生成する送信用メール生成手段と、送信用メールを第２の携帯情報端末へ送信する第２のメール送信手段とを有する構成としたものである。
【００２０】
この発明では、受信捜索メール中の認証用データと予め登録されている所有者本人の認証用データとを比較照合し、一致の照合結果が得られたときに初めて、自端末をダイヤルロック状態とすると共に、受信した捜索メール中にメッセージが含まれているときには自端末の表示部にメッセージを表示して、本来の所有者への連絡を促したり、受信した捜索メール中に端末制御情報が含まれているときには、自端末を端末制御情報に応じて制御しし、更に、捜索用メール中の位置情報返信要求に基づき、位置情報提供サーバに自動アクセスして自端末の現在地情報を取得し、その現在地情報を本文に含み、送信先を捜索用メールの発信元の携帯情報端末のメールアドレスとする送信用メールを自動生成して送信するようにしたため、捜索用メールの発信元の携帯情報端末のユーザーは所在の分からなくなった携帯情報端末がどこにあるのかを返信用メールに基づき知ることができる。
【００２１】
また、上記の目的を達成するため、第１０の発明の携帯情報端末は、予め所有者の認証用データを取得して登録しておく認証用データ記憶手段と、他の携帯情報端末を捜索するときに、ヘッダ部分にメールの種類を示す特定の値を有し、送信先を捜索すべき他の携帯情報端末のメールアドレスとし、本文に所望のメッセージ及び端末制御情報のうちの少なくとも一方を含む捜索用メールを生成するメール生成手段と、メール生成手段により生成された捜索用メールを他の携帯情報端末へ送信する第１のメール送信手段と、捜索用メールの送信と同時に、ネットワーク上のサーバにアクセスして他の携帯情報端末の所有者の認証用データ及び捜索用メールの情報を送信してサーバに記憶させるデータ送信手段と、受信したメールのヘッダ部分の値に基づき、捜索メールを受信したか否か判定する受信メール判定手段と、捜索メールを受信したときには、サーバに自動アクセスしてサーバから認証用データと捜索用メールの情報を取得するデータ取得手段と、データ取得手段により取得した認証用データを、認証用データ記憶手段に予め登録されている本来の所有者の認証用データと比較照合すると共に、取得した捜索用メールの情報が受信した捜索用メールの情報と一致するか比較照合する照合手段と、照合手段により照合一致の結果が得られたときには、ダイヤルロック状態とすると共に、受信した捜索メール中にメッセージが含まれているときには表示部にメッセージを表示し、受信した捜索メール中に端末制御情報が含まれているときには、端末制御情報に応じて制御する制御手段とを有する構成としたものである。
【００２２】
この発明では、捜索用メールを受信したときは、サーバに自動アクセスしてサーバから認証用データと捜索用メールの情報を取得させた後、その認証用データを、予め登録されている本来の所有者の認証用データと比較照合し、一致の照合結果が得られたときに初めて、自端末をダイヤルロック状態とすると共に、受信した捜索メール中にメッセージが含まれているときには自端末の表示部にメッセージを表示して、本来の所有者への連絡を促したり、受信した捜索メール中に端末制御情報が含まれているときには、自端末を端末制御情報に応じて制御してビープ音の発音などを行って警報を発することができる。
【００２３】
また、上記の目的を達成するため、第１３の発明は、メール機能と認証機能を少なくとも備えた第１の携帯情報端末を捜索するために、メール機能と認証機能を少なくとも備えた第２の携帯情報端末を用いる携帯情報端末の捜索方法であって、第１及び第２の携帯情報端末が、初期化処理として所有者の認証用データを取得して登録しておく第１のステップと、第２の携帯情報端末が、ヘッダ部分にメールの種類を示す特定の値を有し、送信先を第１の携帯情報端末のメールアドレスとし、本文に所望のメッセージ及び端末制御情報のうちの少なくとも一方と、第１の携帯情報端末の本来の所有者の認証用データとを含む捜索用メールを生成する第２のステップと、第２の携帯情報端末が、生成された捜索用メールを第１の携帯情報端末へ送信する第３のステップと、第１の携帯情報端末が、受信したメールのヘッダ部分の値に基づき、捜索メールを受信したか否か判定する第４のステップと、第１の携帯情報端末が、捜索メールを受信したときには、受信した捜索メール中の認証用データと、予め登録されている第１の携帯情報端末の本来の所有者の認証用データとを比較照合して一致するかどうか判定する第５のステップと、第５のステップにより一致の認証が得られたときには、第１の携帯情報端末をダイヤルロック状態とすると共に、受信した捜索メール中にメッセージが含まれているときには第１の携帯情報端末の表示部にメッセージを表示し、受信した捜索メール中に端末制御情報が含まれているときには、第１の携帯情報端末を端末制御情報に応じて制御する第６のステップとを含むことを特徴とする。この発明では、第１の発明と同様の作用が得られる。
【００２４】
また、上記の目的を達成するため、第１４の発明は、メール機能と認証機能を少なくとも備えた第１の携帯情報端末を捜索するために、メール機能と認証機能を少なくとも備えた第２の携帯情報端末を用いる携帯情報端末の捜索方法であって、第１及び第２の携帯情報端末が、初期化処理として所有者の認証用データを取得して登録しておく第１のステップと、第２の携帯情報端末が、ヘッダ部分にメールの種類を示す特定の値を有し、送信先を第１の携帯情報端末のメールアドレスとし、本文に所望のメッセージ及び端末制御情報のうちの少なくとも一方と、第１の携帯情報端末の本来の所有者の認証用データと、位置情報返信要求を含む捜索用メールを生成する第２のステップと、第２の携帯情報端末が、生成された捜索用メールを第１の携帯情報端末へ送信する第３のステップと、第１の携帯情報端末が、受信したメールのヘッダ部分の値に基づき、捜索メールを受信したか否か判定する第４のステップと、第１の携帯情報端末が、捜索メールを受信したときには、受信した捜索メール中の認証用データと、予め登録されている第１の携帯情報端末の本来の所有者の認証用データとを比較照合して一致するかどうか判定する第５のステップと、第５のステップにより一致の認証が得られたときには、第１の携帯情報端末をダイヤルロック状態とすると共に、受信した捜索メール中にメッセージが含まれているときには第１の携帯情報端末の表示部にメッセージを表示し、受信した捜索メール中に端末制御情報が含まれているときには、第１の携帯情報端末を端末制御情報に応じて制御する第６のステップと、第１の携帯情報端末が、受信した捜索メール中の位置情報返信要求に基づき、位置情報提供サーバに自動アクセスして第１の携帯情報端末の現在地情報を取得する第７のステップと、第７のステップで取得した現在地情報を本文に含み、送信先を第２の携帯情報端末のメールアドレスとする送信用メールを自動生成する第８のステップと、第８のステップで生成した送信用メールを第２の携帯情報端末へ送信する第９のステップとを含むことを特徴とする。この発明では、第２の発明と同様の作用が得られる。
【００２５】
また、第１５の発明は、上記の目的を達成するため、メール機能と認証機能を少なくとも備えた第１の携帯情報端末を捜索するために、メール機能と認証機能を少なくとも備えた第２の携帯情報端末を用いる携帯情報端末の捜索方法であって、第２の携帯情報端末が、ヘッダ部分にメールの種類を示す特定の値を有し、送信先を第１の携帯情報端末のメールアドレスとし、本文に所望のメッセージ及び端末制御情報のうちの少なくとも一方を含む捜索用メールを生成する第１のステップと、第１のステップにより生成された捜索用メールを第１の携帯情報端末へ送信する第２のステップと、第２の携帯情報端末が、捜索用メールの送信と同時に、ネットワーク上のサーバにアクセスして認証用データ及び捜索用メールの情報を送信してサーバに記憶させる第３のステップと、第１の携帯情報端末が、受信したメールのヘッダ部分の値に基づき、捜索メールを受信したか否か判定する第４のステップと、第１の携帯情報端末が、捜索メールを受信したときには、サーバに自動アクセスしてサーバから認証用データと捜索用メールの情報を取得する第５のステップと、第５のステップにより取得した認証用データを、予め登録されている第１の携帯情報端末の本来の所有者の認証用データと比較照合すると共に、取得した捜索用メールの情報が受信した捜索用メールの情報と一致するか比較照合する第６のステップと、第６のステップにより照合一致の結果が得られたときには、第１の携帯情報端末をダイヤルロック状態とすると共に、受信した捜索メール中にメッセージが含まれているときには第１の携帯情報端末の表示部にメッセージを表示し、受信した捜索メール中に端末制御情報が含まれているときには、第１の携帯情報端末を該端末制御情報に応じて制御する第７のステップとを含むことを特徴とする。
【発明の効果】
【００２６】
本発明によれば、紛失又は盗難により所在の分からなくなった第１の携帯情報端末へ、第１の携帯情報端末の本来の所有者の認証用データを含む捜索用メールを第２の携帯情報端末から送信して受信させ、第１の携帯情報端末により受信捜索メール中の認証用データと予め登録されている所有者本人の認証用データとを比較照合し、一致の照合結果が得られたときに初めて、第１の携帯情報端末をダイヤルロック状態とすると共に、受信した捜索メール中にメッセージが含まれているときには第１の携帯情報端末の表示部にメッセージを表示して、本来の所有者への連絡を促したり、受信した捜索メール中に端末制御情報が含まれているときには、第１の携帯情報端末を端末制御情報に応じて制御してビープ音の発音などを行って警報を発することで、捜索用メールであるという判別だけでなく、更に認証を行い、認証が成功したときに初めて所在の分からなくなった携帯情報端末に対して捜索のための各種の制御を行うようにしたため、従来に比べよりセキュリティを向上して所在の分からなくなった第１の携帯情報端末を確実に捜索することができる。
【００２７】
また、本発明によれば、受信した捜索用メールに返信する形で所在の分からなくなった携帯情報端末の所在地を捜索用の携帯情報端末へ通知するようにしたため、紛失して所在がわからなくなった携帯情報端末の所在を特定でき、これにより携帯情報端末の捜索をより容易にできる。
【００２８】
更に、本発明によれば、捜索用メールは送受信履歴には残さず、メールの形式がユーザーに公開されないようにしたため、類似した不正なメールが送られることを防ぐことができる。
【発明を実施するための最良の形態】
【００２９】
図１は本発明になる携帯情報端末を含む携帯情報端末捜索システムの一実施の形態のシステム構成図を示す。同図において、携帯情報端末Ａ及びＢはそれぞれ同一構成で、本発明の携帯情報端末であり、携帯情報端末Ａは所有者が紛失した携帯情報端末、携帯情報端末Ｂが捜索用携帯情報端末であり、これらは位置情報提供サーバＣと通信可能な構成とされている。位置情報提供サーバＣは、携帯情報端末Ａ、Ｂの現在の位置情報を公知の方法（例えば、移動通信システムにおける携帯情報端末Ａ、Ｂと通信している基地局の位置情報から取得する方法など）で取得し、その位置情報を通知するサービスを提供する。
【００３０】
携帯情報端末Ａは位置情報提供サーバＣから現在地情報を取得する通信部Ａ１と、ユーザー操作の制御や指紋の取得を行うユーザーインタフェース（ＵＩ）部Ａ２と、認証用の指紋データを保存するメモリＡ３と、指紋の認証を行う指紋認証部Ａ４と、他の端末とのメールの送受信を行うメール送受信部Ａ５と、指紋認証部Ａ４の起動・指紋の符号化／復号化、メール送受信部Ａ５の起動を行う機能を保有するアプリケーションＡ６とを含む構成とされている。
【００３１】
携帯情報端末Ｂも携帯情報端末Ａと同様に、位置情報提供サーバＣから現在地情報を取得する通信部Ｂ１と、ユーザー操作の制御や指紋の取得を行うＵＩ部Ｂ２と、認証用の指紋データを保存するメモリＢ３と、指紋の認証を行う指紋認証部Ｂ４と、他の端末とのメールの送受信を行うメール送受信部Ｂ５と、指紋認証部Ｂ４の起動・指紋の符号化／復号化、メール送受信部Ｂ５の起動を行う機能を保有するアプリケーションＢ６とを含む構成とされている。
【００３２】
次に、図１の実施の形態の動作について、図２に示す携帯情報端末Ａが携帯情報端末Ｂからのメール受信により自動操作され、携帯情報端末Ｂに現在地情報をメールで返信する際のイメージ図と、図３に示す携帯情報端末Ｂが携帯情報端末Ａにメールを送信するときのフローチャートと、図４に示す携帯情報端末Ａが携帯情報端末Ｂからのメールを受信した後のフローチャートとを併せ参照して説明する。
【００３３】
図１には携帯情報端末Ａ及びＢの内部の構成を示しているが、図２には携帯情報端末Ａ及びＢの筐体表面の構成を示している。すなわち、携帯情報端末Ａ及びＢの筐体表面の構成自体は従来と同様であり、図２に示すように、表示部Ａ７、Ｂ７と、各種キーからなる操作部Ａ８、Ｂ８と、着信音などを鳴動したり受話音声を発音するスピーカＡ９、Ｂ９と、送話音声を収音するマイクＡ１０、Ｂ１０などを有しており、これらはＵＩ部Ａ２、Ｂ２と接続されている。なお、図２では図示を省略したが、携帯情報端末Ａ及びＢの筐体表面の所定の位置に指紋読取装置が設けられている。なお、指紋読取装置は、携帯情報端末Ａ及びＢの外部に専用装置として設け、その外部の指紋読取装置で読み取った指紋データを携帯情報端末Ａ及びＢへ入力するようにしてもよい。
【００３４】
まず、携帯情報端末Ａの初期化処理について説明する。この初期化処理では、紛失する前の携帯情報端末Ａは、購入直後等において、所有者であるユーザーが携帯情報端末Ａの指紋読取装置で読み取ったユーザーの指紋データ（指紋画像、あるいは特徴点データ）を、ＵＩ部Ａ２を介してメモリＡ３内に保存する。捜索用携帯情報端末Ｂも上記と同様に、初期化処理において、ユーザーの指紋データがメモリＢ３内に保存される。
【００３５】
次に、所有者が紛失して所在が分からなくなった携帯情報端末Ａを捜索用携帯情報端末Ｂを用いて捜索する方法について説明する。まず、捜索用携帯情報端末Ｂは、紛失した携帯情報端末Ａに対して図３のフローチャートに従って捜索用メールを送信する。すなわち、ユーザーは、捜索用携帯情報端末ＢのアプリケーションＢ６を起動し、起動したアプリケーションＢ６からの指示に従い、ＵＩ部Ｂ２から「携帯情報端末Ａのメールアドレス」、「画面に表示するメッセージ」、「ビープ音出力の有無」、「現在地情報の返信有無」などのデータを入力する（図３のステップＳ１）。
【００３６】
続いて、アプリケーションＢ６は指紋認証機能Ｂ４を起動して、ＵＩ部Ｂ２を介して、又は初期化処理でメモリＢ３に予め保存しておいたユーザーの指紋データを取り込み、符号化する（図３のステップＳ２）。続いて、アプリケーションＢ６は、ステップＳ１及びＳ２で取得した各データを特定な形式に変換してメールデータを生成する（図３のステップＳ３）。
【００３７】
上記のメールデータは、例えばメールのヘッダ部分には、捜索用メールであることを表す値を設定しておく。また、上記のメールデータは、下記の送信先、本文、画面に表示するメッセージを有する。ここで、送信先としては、例えば、「ｘｘｘｘ＠ｘｘｘ．ｎｅ．ｊｐ」のような紛失した携帯情報端末Ａのメールアドレスであり、本文は、例えば「ＯＵＴＰＵＴ＝これを拾った方は０３−ＸＸＸＸ−ＸＸＸＸに電話してください。」などのメッセージであり、画面に表示するメッセージは、例えば、ＳＯＵＮＤ＝１（ビープ音出力の有無を表すデータ）、ＭＡＰ＝１（現在地情報返信の有無を表すデータ）、ＣＯＤＥ＝ｘｘｘ・・・（認証に使用する指紋データ）などである。
【００３８】
続いて、アプリケーションＢ６は、メール送受信部Ｂ５を起動して、ステップＳ３で自動生成された捜索用メールを、メール送受信部Ｂ５から通信部Ｂ１を介して携帯情報端末Ａに送信する。このとき、自動生成された捜索用メールはメール機能の送信履歴に残さないようにする。この捜索用メールの形式がユーザーに流出することにより、類似した不正なメールが送られることを防止するためである。
【００３９】
次に、上記の携帯情報端末Ａが捜索用携帯情報端末Ｂから送信された捜索用メールを受信した後の動作について図４のフローチャート等と共に説明する。図２に示すように、捜索用携帯情報端末Ｂから送信された捜索用メール１１は、送信先の紛失した携帯情報端末Ａにより受信される。この捜索用メール１１を通信部Ａ１で受信した携帯情報端末Ａは、メール送受信部Ａ５で受信メールのヘッダ部分から携帯情報端末捜索用のメールであるか否かを解析する（図４のステップＳ１１）。
【００４０】
メール送受信部Ａ５は解析の結果、携帯情報端末捜索用のメールではないと判別したときには直ちに処理を終了するが、携帯情報端末捜索用のメールであると判別した場合は、アプリケーションＡ６を起動して（図４のステップＳ１２）、受信メールの送信元アドレスと本文データを渡す。このとき、受信したメールはメール送受信部Ａ５の受信履歴に残さないようにする。この捜索用メールの受信が他人に流出することを防止するためである。
【００４１】
続いて、アプリケーションＡ６は本文データを解析して、「画面に表示するメッセージデータ」、「ビープ音出力の有無を表すデータ」、「現在地情報返信の有無を表すデータ」、「認証に使用する指紋データ」を抽出した後（図４のステップＳ１３）、指紋認証部Ａ４を起動して、ステップＳ１３で抽出した「認証に使用する指紋データ」をメモリＡ３に、前記初期化処理で予め登録してあるユーザー本人の指紋データと比較照合し、両者が一致しているか否か解析する（図４のステップＳ１４）。
【００４２】
上記の解析の結果、不一致であるときには処理を直ちに終了するが、両者が一致し、本人の指紋であると断定できた場合は、アプリケーションＡ６は携帯情報端末Ａのダイヤルロックを設定する（図４のステップＳ１５）。このダイヤルロックは、上記ステップＳ１４で使用した指紋データにより解除できるものとする。
【００４３】
続いて、アプリケーションＡ６は上記ステップＳ１３で抽出した「画面に表示するメッセージデータ」に文字列が存在するかを判別する（図４のステップＳ１６）。「画面に表示するメッセージデータ」がある場合は、ＵＩ部Ａ２を介して表示部Ａ７の画面にメッセージを表示する（図４のステップＳ１７）。この表示メッセージは、図２の表示部Ａ７に示したようなものであり、これにより、紛失した携帯情報端末Ａを拾った人に携帯情報端末Ａの本来のユーザーを知らせることができる。
【００４４】
続いて、アプリケーションＡ６は、ステップＳ１６の判別結果に関係なく、上記ステップＳ１３で抽出した「ビープ音出力の有無を表すデータ」の設定値を判別する（図４のステップＳ１８）。ビープ音出力有りが指定されていた場合は、ＵＩ部Ａ２を介してスピーカＡ９から着信音量やマナーモードの設定状況に関わらずビープ音を一定時間鳴らす（図４のステップＳ１９）。
【００４５】
続いて、アプリケーションＡ６は、ステップＳ１８の判別結果に関係なく、上記ステップＳ１３で抽出した「現在地情報返信の有無を表すデータ」の設定値を判別する（図４のステップＳ２０）。現在地情報返信有りが指定されていない場合は処理を終了し、現在地情報返信有りが指定されている場合は、通信部Ａ１を介して位置情報提供サーバＣと通信して現在地情報を取得する（図４のステップＳ２１）。
【００４６】
続いて、アプリケーションＡ６は、上記ステップＳ１２で渡された「送信元アドレス」と位置情報提供サーバＣから取得した現在地情報（住所や地図を示すＵＲＬ等）とを、特定な形式に変換してメールデータを生成する（図４のステップＳ２２）。このメールデータは、送信先と題名と本文からなる。送信先は、「ｘｘｘｘ＠ｘｘｘ．ｎｅ．ｊｐ」のような捜索用メールの送信元の捜索用携帯情報端末Ｂのメールアドレスであり、題名は、例えば、「ＭＡＰ（現在地情報返信を意味する文字列データ）」であり、本文は、紛失携帯情報端末Ａの現在地情報であり、例えば、住所「〇〇県〇〇市〇〇区〇〇町〇〇」と地図「ｈｔｔｐ：／／ｗｗｗ．ｘｘｘ．ｎｅ．ｊｐ」（携帯情報端末Ａの現在地情報）とからなる。
【００４７】
続いて、アプリケーションＡ６はメール送受信部Ａ５を起動して、上記ステップＳ２２で生成したメールを通信部Ａ１を介して、図２に１２で示すように、捜索用携帯情報端末Ｂに自動送信する（図４のステップＳ２３）。
【００４８】
このように、本実施の形態によれば、ユーザーが紛失して所在がわからなくなった携帯情報端末Ａに対して、別の携帯情報端末Ｂからセキュリティをかける機能と、所在を通知することにより捜索を補助する機能を提供する。また、本実施の形態では、メールヘッダ部分に、捜索用メールであることを表す値を設定し、それを受信した携帯情報端末にダイヤルロックを設定するだけでなく、メール本文に指紋データとメッセージを加えた捜索用メールを捜索用携帯情報端末Ｂから紛失した携帯情報端末Ａへ送信することにより、本人確認を指紋認証機能で行った上で、また、画面にメッセージを表示するようにしたため、従来に比べよりセキュリティを向上できる。また、ビープ音の出力、携帯情報端末Ａの所在をメールで携帯情報端末Ｂに返信することが可能となり、ユーザーは携帯情報端末Ａの捜索が楽に行える。
【００４９】
本実施の形態では、携帯情報端末Ａの電源が断たれているときや圏外にいる場合には、即座に動作することができないが、携帯情報端末Ａの電源が投入されたときや圏内に移動したときなどの、メールを受信したタイミングで直ちに上記の捜索のための処理を実行することができる。
【００５０】
なお、本発明は上記の実施の形態に限定されるものではなく、その他種々の変形例が可能である。例えば、紛失した携帯情報端末Ａの正当権限者であることを確認するための認証手段として指紋認証を用いたが、これに限らず、携帯情報端末に搭載したカメラにより得た顔画像データ（顔の輪郭画像、特徴点データなど）を用いる顔認証、上記カメラにより得た虹彩データ（画像あるいは特徴点データなど）を用いる虹彩認証、マイクにより得た声紋データ（音声データ、あるいは特徴点データなど）を用いる声紋認証など、指紋以外の生体情報を用いた生体認証を用いることもできる。また、指紋データを含むこれら生体情報のうち、任意の２つ以上の生体情報を組み合わせた認証でもよいことは勿論である。
【００５１】
また、認証方法としては、認証用データを上記の実施の形態のように、捜索用メールに含めて送信し、紛失した携帯情報端末が当該捜索用メールを受信してそのメール中の認証用データと、予めメモリに登録されている正当権限者であるユーザーの認証用データとを比較照合する方法でもよい。また、認証方法は、暗証番号（パスワード）を用いる方法でもよい。暗証番号を用いる場合は、認証用データを得るための手段は不要となる。
【００５２】
更に、認証方法は、認証用データをメールで送信するのではなく、認証用データを含まない捜索用メールのみを紛失した携帯情報端末に送信すると同時に、予め決められたインターネット上の所定のサーバにアクセスし、認証用データと捜索用メール自体の情報（例えば、捜索用メールの発信元メールアドレス、発信日時など）を書き込み、紛失した携帯情報端末は捜索用メールを受信すると、予め決められたインターネット上の上記の所定のサーバに自動アクセスし、そのサーバに書き込まれている認証用データと捜索用メール自体の情報とを確認し、書き込まれている情報が受信した捜索用メールに関するものであるかを確認し、かつ、書き込まれている認証用データが自端末に予め保存されている認証用データと一致するか比較照合する方法でもよい。なお、上記の所定のサーバは、アクセスできる端末に制限を設け、例えば、紛失した携帯情報端末と捜索用携帯情報端末とに限定する。
【００５３】
また、上記の実施の形態では、セキュリティのための動作の一つとして、紛失した携帯情報端末Ａの画面に、捜索用メールの本文に記述したメッセージを表示するものとして説明したが、上記のメッセージは捜索用メールに記述するのではなく、予め紛失した携帯情報端末Ａに記憶させておき、それを使用するようにしてもよい。更に、携帯情報端末Ａ及びＢはそれぞれ周知の全地球測位システム（ＧＰＳ：Global Positioning System）を構成する複数の人工衛星からのＧＰＳ信号を受信し、その受信信号に基づき現在地情報を取得し、それをインターネットを介して又はメールで位置情報提供サーバＣへ自動送信するＧＰＳ受信機及び位置情報送信手段を有していてもよい。更に、ビープ音（あるいはアラーム音）の鳴動時間や連続的か間欠的かの鳴動方法は、捜索用メールで指定するようにしてもよいし、携帯情報端末に予め設定しておいてもよい。
【図面の簡単な説明】
【００５４】
【図１】本発明の携帯情報端末を含む携帯情報端末捜索システムの一実施の形態のシステム構成図である。
【図２】携帯情報端末Ａが携帯情報端末Ｂからのメール受信により自動操作され、携帯情報端末Ｂに現在地情報をメールで返信する際のイメージ図である。
【図３】携帯情報端末Ｂによる携帯情報端末Ａへのメール送信動作説明用フローチャートである。
【図４】携帯情報端末Ａが携帯情報端末Ｂからのメールを受信した後の動作説明用フローチャートである。
【符号の説明】
【００５５】
Ａ  紛失した携帯情報端末
Ａ１、Ｂ１  通信部
Ａ２、Ｂ２  ＵＩ（ユーザーインタフェース）部
Ａ３、Ｂ３  メモリ
Ａ４、Ｂ４  指紋認証部
Ａ５、Ｂ５  メール送受信部
Ａ６、Ｂ６  アプリケーション
Ｂ  捜索用形態情報端末
Ｃ  位置情報提供サーバ
【図１】
2005295309.tif 000003
【図２】
2005295309.tif 000004
【図３】
2005295309.tif 000005
【図４】
2005295309.tif 000006